(57)【要約】【課題】薄型化を実現でき、高出力の音圧を上げるとともに、スピーカの音の歪みを低減させることができるスピーカを提供する。【解決手段】第一の磁石と第二の磁石を斜め方向、または略水平方向に配置し、前記第一の磁石と第二の磁石の間に隙間を設けて磁気ギャップを形成し、前記磁気ギャップに可動自在に配置したボイスコイルと、前記ボイスコイルに結合した振動板を備え、前記第一の磁石はヨークの中央部の上面に設け、前記第二の磁石は前記第一の磁石よりも外側の位置でヨーク上部の下面側に設け、前記振動板の中央部に設けた支持体と前記第一の磁石の上面に設けた第一のプレートの間にダンパーを設けた構成のものである。【選択図】図１
2009171492.tif 000002
【特許請求の範囲】
【請求項１】
第一の磁石と第二の磁石を斜め方向、または略水平方向に配置し、
前記第一の磁石と前記第二の磁石の間に隙間を設けて磁気ギャップを形成し、
前記磁気ギャップに可動自在に配置したボイスコイルと、
前記ボイスコイルに結合した振動板とを備え、
前記第一の磁石はヨーク中央部の上面に設け、
前記第二の磁石は前記第一の磁石よりも外側の位置でヨーク上部の下面側に設け、
前記振動板の中央部に設けた支持体と前記第一の磁石の上面に設けた第一のプレートとの間にダンパーを設ける構成としたスピーカ。
【請求項２】
第一、第二の磁石を磁気的に連結させて磁気回路を形成させるようにした請求項１記載のスピーカ。
【請求項３】
第一、第二の磁石の形状は円環状の磁石である請求項１記載のスピーカ。
【請求項４】
第一、第二の磁石の形状は板状の棒状磁石、あるいは楕円形状の磁石である請求項１記載のスピーカ。
【請求項５】
第一、第二の磁石の形状が板状の棒状磁石である場合、それぞれの第一、第二の磁石は二つずつである請求項１記載のスピーカ。
【発明の詳細な説明】
【技術分野】
【０００１】
本発明は各種音響機器に使用されるスピーカに関するものである。
【背景技術】
【０００２】
従来のスピーカについて図５を用いて説明する。
【０００３】
図５によると、従来のスピーカは着磁された磁石１をセンターポール３Ａを有する下部プレート３に設置し、磁石１の上部にはプレート２を結合して外磁型の磁気回路４を構成している。磁気回路４にフレーム６を設置し、フレーム６の周縁部に振動板７を結合するとともに、ボイスコイル体８を振動板７に結合して前記磁気回路４の磁気ギャップ５に挿入してスピーカを構成している。
【０００４】
上述のスピーカでは、その全高寸法の構成として磁気回路４にフレーム６を設置する、いわば積み上げ方式になっている。そのため、スピーカの全高寸法は最低でも磁気回路４とフレーム６との合計寸法が必要となるものであった。
【０００５】
最近では、ＡＶ商品分野において液晶やプラズマ等の薄型テレビの普及が顕著であり、モバイル商品分野では携帯電話の多機能化や薄型化への展開が行われており、車載分野では地球環境対応を目的とした省エネルギー化の活動が盛んである。上述の背景から前述の従来のスピーカについても、小型化、薄型化、高出力化が強く求められている。
【０００６】
そのような中で、従来のスピーカ構造のままで薄型化を図るには、磁気回路を形成する磁石を小型化することが当然のように行われているが、磁石を小さくすることによって磁力が弱くなり音声出力が小さくなるという課題があり、磁石の縮小には限界があった。
【０００７】
なお、この出願の発明に関する先行技術文献情報としては、例えば、特許文献１が知られている。
【特許文献１】特開２００５−５１２８３号公報
【発明の開示】
【発明が解決しようとする課題】
【０００８】
従来のスピーカはその構造を維持したまま薄型化を図るには、すでに厳しい市場要求に対して、限界に達しているという課題を有していた。
【０００９】
また、ＡＶ機器などにおいて高出力の音声を出す場合には、大振幅時に駆動系部品であるボイスコイル体８が振り子のように振れながら上下振幅をすることになり、ローリングによる音の歪みやギャップ不良により異常音を発生するという課題も有している。
【００１０】
そこで、本発明はこのような課題を解決し、薄型化を実現でき、音声出力を高めると共に、スピーカの音の歪みを低減させることのできるスピーカを提供することを目的とする。
【課題を解決するための手段】
【００１１】
そして、この目的を達成するために本発明では、第一の磁石と第二の磁石を斜め方向、または略水平方向に配置し、前記第一の磁石と第二の磁石の間に隙間を設けて磁気ギャップを形成し、前記磁気ギャップに可動自在に配置したボイスコイル体と、前記ボイスコイル体に結合した振動板を備え、前記第一の磁石はヨークの中央部の上面に設け、前記第二の磁石は前記第一の磁石よりも外側の位置でヨーク上部の下面側に設け、前記振動板の中央部に設けた支持体と前記第一の磁石上面に設けた第一のプレートとの間にダンパーを設ける構成としたものである。
【発明の効果】
【００１２】
本発明は、磁気ギャップを介して斜め方向、または略水平方向に配置した第一の磁石と第二の磁石の二つの磁石を用いることによって、磁力が強化され高出力の音声を出すことができると共に、同じ出力を出すにあたっては第一の磁石の厚みを薄くすることができるので、スピーカの薄型化が図れるものである。
【００１３】
また、振動板の中央部に設けた支持体と第一の磁石の上面に設けた第一のプレートとの間に設けたダンパーによって、大振幅時にもボイスコイル体のローリングを防止し、スピーカの音の歪みとギャップ不良を低減できるものである。
【発明を実施するための最良の形態】
【００１４】
以下、本発明の実施の形態について、図面を参照しながら説明する。
【００１５】
（実施の形態１）
図１は本発明のスピーカの構造断面を示す。
【００１６】
図１において、ヨーク１８の中央部の上面に第一の磁石１１を設置し、その上に第一のプレート１２を設けている。第二の磁石１３は第一の磁石１１の外側の位置でヨーク上面１９の下面側に接着して設けられ、これら第一の磁石１１と第二の磁石１３は斜め方向、または略水平方向になっている。第二の磁石１３の下面には第二のプレート１４を接着して設けている。
【００１７】
そして、第一の磁石１１、第一のプレート１２、第二の磁石１３、第二のプレート１４とヨーク１８により磁気回路を構成している。
【００１８】
振動板１５の外周部はフレーム２１と接続し、この振動板１５の中央部には支持体２４を設け、支持体２４と第一のプレート１２との間にはダンパー２５を設けている。このような構造にすることにより、大振幅時にもボイスコイル体１６のローリングを防止して、スピーカの音の歪みやギャップ不良を低減することができる。
【００１９】
ボイスコイル体１６は、ボビン２２の外周部にコイル２３を巻き付けた構造であり、ボビン２２の上部が振動板１５に接着しており、磁気ギャップ１７に対してボイスコイル体１６が上下方向に可動自在に動くことによって、振動板１５を振動させる軸となる構造となっている。
【００２０】
図２は本発明のスピーカの磁気ギャップにおけるボイスコイル部分の磁場解析を示す図である。
【００２１】
図２において、第一の磁石１１の上面Ｎ極から出た磁束は、磁気ギャップ１７に向いて略水平方向に進行し、第二の磁石１３の下面Ｓ極へ入る。そして、磁気ギャップ１７においてコイル２３の部分では、白矢印のように駆動に有効な振動板の振動方向に対して略直交するような磁束が得られるようになっている。
【００２２】
そして、このボイスコイル体１６のコイル２３に音声信号を印加することで、磁気ギャップ１７の磁界と反応しボイスコイル体１６が上下方向に駆動し、この駆動により振動板１５が振動してスピーカから音が発信されるものである。
【００２３】
本発明のスピーカは第一の磁石１１と第二の磁石１３、二つの磁石を用いて磁気ギャップ１７を構成しているため、ボイスコイル体１６に大きな駆動力を発生させることができ、その結果、振動板１５による音声出力も大きなものとすることができる。
【００２４】
また、同じ出力を出すスピーカを設計する場合には、従来のように磁石を一つしか使わない構成のものと比較して、第一の磁石１１の体積を少なくすることができるので、第一の磁石１１の高さを低く抑えることができ、スピーカの全高を低く、薄型化することが可能となる。
【００２５】
図３は本発明のスピーカの構造を円形状スピーカに適用したもので、この円形状スピーカを半分に切り取った斜視図である。第一の磁石１１、第一のプレート１２と第二の磁石１３、第二のプレート１４は円環状の磁石とプレートになっている。同じく、ボイスコイル体１６と振動板１５とダンパー２５の形状も円形状になっている。
【００２６】
（実施の形態２）
図４は本発明のスピーカの構造を細長型スピーカに適用したもので、この細長型スピーカを半分に切り取った斜視図である。
【００２７】
この構成では、第一の磁石１１、第一のプレート１２と第二の磁石１３、第二のプレート１４は板状の細長矩形体をした棒状の磁石とプレートを使用し、細長型スピーカの長手方向に配置している。
【００２８】
そして、この棒状磁石の材質は、第一の磁石１１と第二の磁石１３がともにネオジウム磁石であるのが好ましいが、フェライト系磁石と組み合わせて用いてもよい。
【００２９】
また、この細長型スピーカを構成するにあたっては、第一の磁石１１、第一のプレート１２と第二の磁石１３、第二のプレート１４を板状の細長矩形体をした棒状に限定する必要はなく、板状の楕円形状の磁石とプレートを使用してもよいのは勿論である。
【００３０】
本発明の細長型スピーカにおいても、実施の形態１と同様の効果を有するスピーカを実現することができる。
【産業上の利用可能性】
【００３１】
本発明のスピーカは、二つの磁石を用いることにより大きな駆動力を発生させ、高出力の音圧を上げることができるとともに、スピーカの全高を低くできて薄型化が可能になり、しかも音の歪みやギャップ不良が低減できるので、各種音響機器に使用される薄型構造のスピーカに有用である。
【図面の簡単な説明】
【００３２】
【図１】本発明のスピーカの構造断面図
【図２】本発明のスピーカの磁気ギャップにおけるボイスコイル部分の磁場解析を示す図
【図３】本発明の円形状スピーカの半分を切り取った斜視図
【図４】本発明の細長型スピーカの半分を切り取った斜視図
【図５】従来のスピーカの構造断面図
【符号の説明】
【００３３】
１１  第一の磁石
１２  第一のプレート
１３  第二の磁石
１４  第二のプレート
１５  振動板
１６  ボイスコイル体
１７  磁気ギャップ
１８  ヨーク
１９  ヨーク上面
２１  フレーム
２２  ボビン
２３  コイル
２４  支持体
２５  ダンパー
【図１】
2009171492.tif 000003
【図２】
2009171492.tif 000004
【図３】
2009171492.tif 000005
【図４】
2009171492.tif 000006
【図５】
2009171492.tif 000007